【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
複数のシートに対する両面印刷を制御する印刷制御装置であって、
複数ページ分の画像を、当該複数ページのうちの最初のページから順にシートの第１面及び第２面に割り付け、ページ数が奇数である場合には最後のページが割り付けられるシートの第２面に白紙ページを割り付ける割付手段と、
正順印刷を行う場合は、前記複数ページのうちの最初のページが割り付けられたシートから順に印刷し、逆順印刷を行う場合は、前記複数ページのうちの最後のページが割り付けられたシートから順に印刷するよう制御する制御手段と、を備え、
前記制御手段は、正順印刷を行う場合は、前記割付手段による割り付けが完了する前に印刷を開始し、逆順印刷を行う場合は、前記割付手段による割り付けが完了した後に印刷を開始するよう制御することを特徴とする印刷制御装置。
【請求項２】
前記割付手段は、前記複数ページに互いにサイズが異なる複数のページが含まれる場合に、当該互いにサイズが異なる複数のページを１枚のシートに割り付けないようにすることを特徴とする請求項１に記載の印刷制御装置。
【請求項３】
正順印刷を行うか、逆順印刷を行うかの指示をユーザから受け付ける受付手段を更に備えることを特徴とする請求項１または２に記載の印刷制御装置。
【請求項４】
前記制御手段は、正順印刷を行う場合は各シートの第１面側から印刷を行い、逆順印刷を行う場合は各シートの第２面側から印刷を行うよう制御することを特徴とする請求項１乃至３のいずれか１項に記載の印刷制御装置。
【請求項５】
原稿を読み取ることにより、前記複数ページ分の画像を入力する読取手段を更に備えることを特徴とする請求項１乃至４のいずれか１項に記載の印刷制御装置。
【請求項６】
前記制御手段による制御に従って印刷を行う印刷手段を更に備えることを特徴とする請求項１乃至５のいずれか１項に記載の印刷制御装置。
【請求項７】
複数のシートに対する両面印刷を実行可能な印刷制御装置の制御方法であって、
複数ページ分の画像を、当該複数ページのうちの最初のページから順にシートの第１面及び第２面に割り付け、ページ数が奇数である場合には最後のページが割り付けられるシートの第２面に白紙ページを割り付ける割付工程と、
正順印刷を行う場合は、前記複数ページのうちの最初のページが割り付けられたシートから順に印刷し、逆順印刷を行う場合は、前記複数ページのうちの最後のページが割り付けられたシートから順に印刷するよう制御する制御工程と、を備え、
前記制御工程では、正順印刷を行う場合は、前記割付工程における割り付けが完了する前に印刷を開始し、逆順印刷を行う場合は、前記割付工程における割り付けが完了した後に印刷を開始するよう制御することを特徴とする印刷制御装置の制御方法。
【請求項８】
コンピュータを請求項１乃至６のいずれか１項に記載の印刷制御装置の各手段として機能させるためのプログラム。
【手続補正２】
【補正対象書類名】明細書
【補正対象項目名】発明の名称
【補正方法】変更
【補正の内容】
【発明の名称】印刷制御装置、その制御方法、及びプログラム
【手続補正３】
【補正対象書類名】明細書
【補正対象項目名】０００１
【補正方法】変更
【補正の内容】
【０００１】
本発明は、印刷制御装置、その制御方法、及びプログラムに関するもので、特に複数のシートに対する両面印刷を行う場合の制御に関する。
【手続補正４】
【補正対象書類名】明細書
【補正対象項目名】００１０
【補正方法】変更
【補正の内容】
【００１０】
本発明の特徴は、複数のシートに対する両面印刷を逆順で行う場合であっても、正順で行う場合と同様の印刷結果を、簡単に得られるようにする技術を提供することにある。
【手続補正５】
【補正対象書類名】明細書
【補正対象項目名】００１１
【補正方法】変更
【補正の内容】
【００１１】
上記目的を達成するために本発明の一態様に係る印刷制御装置は、複数のシートに対する両面印刷を制御する印刷制御装置であって、複数ページ分の画像を、当該複数ページのうちの最初のページから順にシートの第１面及び第２面に割り付け、ページ数が奇数である場合には最後のページが割り付けられるシートの第２面に白紙ページを割り付ける割付手段と、正順印刷を行う場合は、前記複数ページのうちの最初のページが割り付けられたシートから順に印刷し、逆順印刷を行う場合は、前記複数ページのうちの最後のページが割り付けられたシートから順に印刷するよう制御する制御手段と、を備え、前記制御手段は、正順印刷を行う場合は、前記割付手段による割り付けが完了する前に印刷を開始し、逆順印刷を行う場合は、前記割付手段による割り付けが完了した後に印刷を開始するよう制御することを特徴とする。
【手続補正６】
【補正対象書類名】明細書
【補正対象項目名】００１２
【補正方法】変更
【補正の内容】
【００１２】
本発明によれば、複数のシートに対する両面印刷を逆順で行う場合であっても、正順で行う場合と同様の印刷結果を、簡単に得られるようになるという効果がある。
【手続補正７】
【補正対象書類名】明細書
【補正対象項目名】００２０
【補正方法】変更
【補正の内容】
【００２０】
まず、リーダ部２００について説明する。リーダ部２００において、原稿給紙ユニット（フィーダ）２５０は、原稿を先頭から順に１枚ずつプラテンガラス２１１上へ給送し、原稿の読み取り動作終了後、プラテンガラス２１１上の原稿を排出トレイ２１９に排出する。原稿がプラテンガラス２１１上に搬送されると、ランプ２１２を点灯し、そして光学ユニット２１３の移動を開始してプラテンガラス２１１上の原稿を露光走査する。この時の原稿からの反射光は、ミラー２１４，２１５，２１６及びレンズ２１７によってＣＣＤイメージセンサ（以下、ＣＣＤ）２１８へ導かれる。このようにして、走査された原稿の画像はＣＣＤ２１８によって読み取られる。このＣＣＤ２１８から出力される画像データは、所定の処理が施された後、制御部１１０へ転送される。
【手続補正８】
【補正対象書類名】明細書
【補正対象項目名】００２３
【補正方法】変更
【補正の内容】
【００２３】
また、両面印刷が設定されている場合は、定着部３２７を通過した後、搬送路３３６からフラッパ３２９によって搬送路３３３に記録紙は導かれる。その後、記録紙を逆方向に搬送し、フラッパ３２９によって、搬送路３３８、再給紙搬送路３３２へ導かれる。こうして再給紙搬送路３３２へ導かれた記録紙は、上述したタイミングで再度搬送路３３１を通って転写部３２５へ給紙される。尚、片面／両面印刷にかかわらず、搬送路３３４より排出された記録紙は排紙ビン３５０へ排出されて積載される。
【手続補正９】
【補正対象書類名】明細書
【補正対象項目名】００４９
【補正方法】変更
【補正の内容】
【００４９】
まずＳ８００２で、制御部１１０は、図７で例示したＲＡＭ１５０の逆順出力情報７０５０を基に、正順出力か逆順出力かを判断する。ここで逆順出力と判断した場合はＳ８００３へ、正順出力と判断した場合はＳ８０１１に処理を進める。Ｓ８００３（逆順）では、制御部１１０は、リーダ部２００から原稿１ページ分の入力を待つ。ここで原稿給紙ユニット（フィーダ）２５０上に原稿束が載せられ、スタートキー６０７が押下されると、制御部１１０は、原稿給紙ユニット（フィーダ）２５０の原稿を１ページずつ順次読み取る。そして、原稿の画像データを画像メモリ１３０に保存する。そしてＳ８００４に進み、制御部１１０は、画像メモリ１３０上の画像データをフラッシュメモリ１４０に移動する。これは前述したように、画像メモリ１３０のメモリ容量に制限があるためで、画像メモリ１３０の容量が十分であれば、この処理は不要である。
【手続補正１０】
【補正対象書類名】明細書
【補正対象項目名】００５６
【補正方法】変更
【補正の内容】
【００５６】
次にＳ９００３に進み、制御部１１０は、Ｓ９００２で得られた未確定の面付け情報の用紙サイズと、入力した１ページの原稿サイズとが一致するか否かを判断する。ここでの原稿サイズとは、図８のＳ８００３或いはＳ８０１１で入力された１ページの原稿に対応する。ここで不一致と判定するとＳ９００４へ、一致すると判定した場合はＳ９０１１に処理を進める。Ｓ９００４では、制御部１１０は、Ｓ９００２で得られた未確定の面付け情報の裏面に対して白紙を割り当てる。これは図５でも説明したように、１枚の用紙の表面と裏面には、異なるサイズの原稿を割り当てられないためである。そしてＳ９００５に進み、制御部１１０は、Ｓ９００５で、表面及び裏面に原稿が割り当てられた面付け情報の情報確定フラグを「確定」にしてＳ９００６に処理を進める。